(57)【要約】本願は真空引き装置と食品調理機を提案する。前記真空引き装置は、上蓋と、前記上蓋との嵌合により格納チャンバーが囲まれるように形成し、前記格納チャンバーのチャンバー壁には抽気孔と排気孔が設けられている下蓋であって、且つ下部には接続部が設置されている下蓋と、  前記格納チャンバー内に位置し、前記上蓋及び／又は下蓋と接続されている取付ブラケットと、前記取付ブラケットに接続されて、吸気口が前記抽気孔に連通し、吹出口が前記排気孔に連通している真空ポンプと、前記取付ブラケットに接続され、且つ前記真空ポンプに電気的に接続されている制御電気回路基板と、及び前記格納チャンバー内に位置し且つ前記制御電気回路基板と電気的に接続されている給電モジュールとを含む。本願の真空引き装置の組立の効率が高く、構造の安定性が高い。【選択図】図３
2021510794.tif 000002
【特許請求の範囲】
【請求項１】
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含むことを特徴とする真空引き装置。
【請求項２】
前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されている請求項１に記載の真空引き装置。
【請求項３】
前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されている請求項１または２に記載の真空引き装置。
【請求項４】
前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される請求項３に記載の真空引き装置。
【請求項５】
前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されている請求項４に記載の真空引き装置。
【請求項６】
前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合される請求項４に記載の真空引き装置。
【請求項７】
前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている請求項４に記載の真空引き装置。
【請求項８】
前記下蓋に前記抽気孔が開設されており、前記上蓋或いは前記下蓋に前記排気孔が開設されている請求項１に記載の真空引き装置。
【請求項９】
前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる請求項８に記載の真空引き装置。
【請求項１０】
前記真空ポンプの吸気口と前記抽気孔との間には抽気孔から吸気口へ向かう方向に通ずる一方向弁がさらに接続されている請求項１に記載の真空引き装置。
【請求項１１】
前記真空引き装置はシールリングをさらに含み、前記シールリングは真空引きされる容器に覆い被さって密封接続するために用いられ、前記シールリングは前記下蓋と接続され、且つ前記抽気孔を囲んで設置されている請求項１に記載の真空引き装置。
【請求項１２】
前記接続部は下蓋の前記上蓋から離れた表面に凸出して設置されている接続リングであり、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている請求項１１に記載の真空引き装置。
【請求項１３】
前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置する請求項１に記載の真空引き装置。
【請求項１４】
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されている請求項１３に記載の真空引き装置。
【請求項１５】
前記篩孔は細長い形状をしており、前記篩孔の幅寸法をＢと定義し、０ｍｍ＜Ｂ≦０．８ｍｍである請求項１４に記載の真空引き装置。
【請求項１６】
前記蓋板と前記溝部の底壁との間の間隔をＬとし、１ｍｍ＜Ｌ≦１０ｍｍである請求項１４に記載の真空引き装置。
【請求項１７】
攪拌カップ組立体を含む食品調理機であって、前記攪拌カップ組立体はカップ本体と前記カップ本体の上端に覆い被さるカップ蓋を含み、前記カップ蓋には前記カップ本体の内チャンバーと連通する開口が開設され、前記食品調理機は真空引き装置をさらに含み、前記真空引き装置は前記カップ蓋に取り外し可能に取り付けられ、前記真空引き装置は、
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含み、前記接続部は前記開口によって前記カップ本体の内チャンバーに連通している食品調理機。
【請求項１８】
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されている請求項１７に記載の食品調理機。
【請求項１９】
前記真空引き装置はシールリングをさらに含み、前記シールリングは真空引きされる容器に覆い被さって密封接続するために用いられ、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３である請求項１７に記載の食品調理機。
【請求項２０】
前記カップ蓋には凹溝が形成されており、前記開口は前記凹溝の底部に開設され、前記シールリングの周縁は前記凹溝の溝壁と当接されている請求項１７に記載の食品調理機。
【発明の詳細な説明】
【技術分野】
【０００１】
本願は調理機の技術分野に関し、特に真空引き装置及び当該真空引き装置が応用される食品調理機に関する。
【背景技術】
【０００２】
多くの食材は空気に触れると酸化しやすく、或いは細菌が繁殖しやすくなって変質する。例えばジュースが空気に触れると、ジュースが容易に酸化してジュースの口当たりに影響を与える。したがって、一部の食材は、空気から隔離する必要がある。
【０００３】
従来の真空引き機能を持つ食品調理機では、その真空引き装置は通常、スタンドと固定されているので、真空引き装置の全体構造が比較的複雑になり、製造や組立が比較的困難になっている。
【発明の概要】
【発明が解決しようとする課題】
【０００４】
本願の主な目的は、真空引き装置の構造を簡略化して、真空引き装置の組立利便性及び構造の安定性を向上させることである。
【課題を解決するための手段】
【０００５】
上記目的を達成するために、本願が提案する真空引き装置は、上蓋と、前記上蓋との嵌合により格納チャンバーが囲まれるように形成し、前記格納チャンバーのチャンバー壁には抽気孔と排気孔とが開設されている下蓋であって、且つ下部には接続部が設置されている下蓋と、前記格納チャンバー内に位置し、前記上蓋及び／又は下蓋と接続されている取付ブラケットと、前記取付ブラケットに接続され、吸気口が前記抽気孔に連通し、吹出口が前記排気孔に連通している真空ポンプと、前記取付ブラケットに接続され、且つ前記真空ポンプに電気的に接続されている制御電気回路基板と、前記格納チャンバー内に位置し且つ前記制御電気回路基板と電気的に接続されている給電モジュールとを含む。
【０００６】
好ましくは、前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されている。
【０００７】
好ましくは、前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されている。
【０００８】
好ましくは、前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される。
【０００９】
好ましくは、前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されている。
【００１０】
好ましくは、前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合される。
【００１１】
好ましくは、前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている。
【００１２】
好ましくは、前記下蓋に前記抽気孔が開設されており、前記上蓋或いは前記下蓋に前記排気孔が開設されている。
【００１３】
好ましくは、前記真空ポンプの吸気口と前記抽気孔との間には抽気孔から吸気口へ向かう方向に通ずる一方向弁がさらに接続されている。
【００１４】
好ましくは、前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる。
【００１５】
好ましくは、前記真空引き装置はシールリングをさらに含み、前記シールリングは真空引きされる容器に覆い被さって密封接続するために用いられ、前記シールリングは前記下蓋と接続され、且つ前記抽気孔を囲んで設置されている。
【００１６】
好ましくは、前記下蓋の前記上蓋から離れた表面には接続リングが凸出して設置されており、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている。
【００１７】
好ましくは、前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置する。
【００１８】
好ましくは、前記下蓋の前記上蓋から離れた表面溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されている。
【００１９】
好ましくは、前記篩孔は細長い形状をしており、前記篩孔の幅寸法をＢと定義し、０ｍｍ＜Ｂ≦０．８ｍｍである。
【００２０】
好ましくは、前記蓋板と前記溝部の底壁との間の間隔をＬとし、１ｍｍ＜Ｌ≦１０ｍｍである。
【００２１】
本願はさらに攪拌カップ組立体を含む食品調理機を提案する。前記攪拌カップ組立体はカップ本体と前記カップ本体の上端に覆い被さるカップ蓋を含み、前記カップ蓋には前記カップ本体の内チャンバーと連通する開口が開設され、前記食品調理機は真空引き装置をさらに含み、前記真空引き装置は前記カップ蓋に取り外し可能に取り付けられ、前記真空引き装置は、上蓋と、前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、前記格納チャンバー内に位置し、前記上蓋及び／又は下蓋と接続されている取付ブラケットと、前記取付ブラケットに接続され、吸気口が前記抽気孔に連通し、吹出口が前記排気孔に連通している真空ポンプと、前記取付ブラケットに接続され、且つ前記真空ポンプに電気的に接続されている制御電気回路基板と、前記格納チャンバー内に位置し且つ前記制御電気回路基板と電気的に接続されている給電モジュールとを含み、前記接続部は前記開口によって前記カップ本体の内チャンバーに連通している。
【００２２】
好ましくは、前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されている。
【００２３】
好ましくは、前記真空引き装置はシールリングをさらに含み、前記シールリングは真空引きされる容器を覆い被せるように真空引きされる容器に接続され、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３である。
【００２４】
好ましくは、前記カップ蓋には凹溝が形成されており、前記開口は前記凹溝の底部にている開、前記シールリングの周縁は前記凹溝の溝壁と当接されている。
【００２５】
本願の技術案では、真空引き装置の取付ブラケットを上蓋及び／又は下蓋に接続することで、上蓋と下蓋とを組み合わせて格納チャンバーを形成し、且つ取付ブラケットで真空ポンプを取り付けて固定する。このようにして、真空引き装置の組立過程において、真空ポンプ、制御電気回路基板、給電モジュール等の部品は取付ブラケットによってモジュール化組立を実現した後、そして取付ブラケットによって上蓋と下蓋とのカバー組立操作を実現できる。このようにして、組立全体の効率を向上でき、且つ、取付ブラケットによる固定方式は、真空引き装置の全ての内部部品、例えば真空ポンプ、制御電気回路基板、給電モジュール等の構造堅固性も保証でき、構造の安定性が比較的高い。
【図面の簡単な説明】
【００２６】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願の真空引き装置の一実施例の分解構造模式図である。
【図２】図１における真空引き装置の部分分解構造模式図である。
【図３】図１における真空引き装置の断面構造模式図である。
【図４】図１における真空引き装置の上蓋の斜視構造模式図である。
【図５】図１における真空引き装置の取付ブラケットの斜視構造模式図である。
【図６】図１における真空引き装置の下蓋の斜視構造模式図である。
【図７】本願の真空引き装置における蓋板の構造模式図である。
【図８】図７におけるＡ―Ａでの断面模式図である。
【図９】本願の食品調理機の部分構造の断面構造模式図である。添付図面を参照して、実施例と組み合わせて本願目的の実現、機能特徴及び長所をさらに説明する。
【発明を実施するための形態】
【００２７】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２８】
本願実施例での全ての方向性指示（例えば上、下、左、右、前、後．．．）は、当該方向性指示はある特定の姿勢（添付図面に示す）における各部品間の相対的位置関係、移動状況等を説明するためだけに用いられ、もし当該特定の姿勢が変わる場合、当該方向性指示もそれ相当に変わることは説明しておく必要がある。
【００２９】
本願において、別途明確な規定や限定がない限り、術語「接続」、「固定」などは広義に理解されるべきである。例えば、「固定」は固定的な接続でもよく、取り外し可能な接続でもよく、或いは一体としてもよい。また、機械的な接続でもよく、電気的な接続でもよい。また、直接につながってもよく、中間にある媒介によって間接的につながってもよく、二つの素子内部の連通或いは二つの素子の相互作用関係であってもよい。当業者にとって、具体的な状況により上記術語の本願における具体的な意味を理解できる。
【００３０】
また、本願実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００３１】
本願では真空引き装置１００を提案する。
【００３２】
図１から図６を組み合わせて参照して、本願の真空引き装置１００は真空引きされる容器に取り外し可能に接続されて、且つ容器の内部に対して真空引き処理を行える。真空引き装置１００は上蓋１１０、取付ブラケット１２０、下蓋１３０、真空ポンプ１４０、制御電気回路基板１５０及び給電モジュール１６０を含み、取付ブラケット１２０の一側は上蓋１１０に取り外し可能に接続されて、下蓋１３０は取付ブラケット１２０のもう一側と取り外し可能に接続されて、且つ下蓋１３０と上蓋１１０との嵌合により格納チャンバー１１０ａが囲まれるように形成され、格納チャンバー１１０ａのチャンバー壁には抽気孔１３０ａと排気孔１１０ｄが設けられ、真空ポンプ１４０は取付ブラケット１２０に固定接続されて、真空ポンプ１４０の吸気口は抽気孔１３０ａに連通して、真空ポンプ１４０の吹出口は排気孔１１０ｄに連通しており、制御電気回路基板１５０は取付ブラケット１２０に固定接続されて、且つ真空ポンプ１４０に電気的に接続されており、給電モジュール１６０は格納チャンバー１１０ａ内に位置して且つ制御電気回路基板１５０と電気的に接続されている。取付ブラケット１２０を上蓋１１０だけと取り外し可能に接続するか下蓋１３０だけと取り外し可能に接続することは可能であることは、説明しておく必要がある。
【００３３】
下蓋１３０の下部には接続部１３３が設置されて、当該接続部１３３は他の真空引きする必要のある容器と接続して、真空引き過程をより簡単に、接続過程をより便利にして安定させるためのものであることは、説明しておく必要がある。
【００３４】
取付ブラケット１２０は上蓋１１０及び／又は下蓋１３０に取り外し可能に接続されている。上蓋１１０、下蓋１３０と取付ブラケット１２０の間は、取り外し可能な接続としてもいいし、固定接続、例えば一体構造とすることも可能である。本実施例では、好ましくは取り外し可能な接続方式を採用する。
【００３５】
本願の上蓋１１０、下蓋１３０及び取付ブラケット１２０はプラスチック材質でもいいし、或いは金属材質、例えばアルミニウム合金でもよい。真空引き装置１００は全体として概ね柱体状を構成している。即ち、上蓋１１０と下蓋１３０は何れも一端に蓋板を有する筒体状である。且つ、真空引き装置１００の横断面の形状は円形、方形、或いは多角形でもよい。勿論、真空引き装置１００の形状は他の構造でもよい。例えば、球体状を構成し、即ち、上蓋１１０と下蓋１３０は何れも半球状をしている。下蓋１３０には抽気孔１３０ａが設けられている。真空引き装置１００の組立過程において、上蓋１１０と下蓋１３０は取付ブラケット１２０を通して固定接続されて、且つ、制御電気回路基板１５０と真空ポンプ１４０（ポンプ本体と駆動モータを含む）は何れも取付ブラケット１２０を利用して取り付けられる。給電モジュール１６０は格納チャンバー１１０ａ内に設置されている給電リチウム電池、乾電池等の電気エネルギーを蓄積できる装置でもいいし、格納チャンバー１１０ａ内に設置されて且つ上蓋１１０或いは下蓋１３０に対応する開口２２１が設置されている給電インターフェース、例えばＵＳＢインターフェース、インサートピンを有する電源インターフェースでもよい。給電モジュール１６０が電気エネルギーを蓄積できる装置である場合、真空引き装置１００を外部の電源に接続する必要はない。給電モジュール１６０が電源インターフェースである場合、給電モジュール１６０により変圧後の商用電源に接続することも可能である。容器と真空引き装置１００の間に密封構造を設置してもよい。密封構造は容器上に設置されてもよく、真空引き装置１００上に設置されてもよい。密封構造は容器或いは真空引き装置１００上に設置されているシールリング１８０とすることが可能である。具体的に、本願の接続部１３３は下蓋１３０の上蓋１１０から離れた表面に凸出して設置されている接続リング１３３であり、接続リング１３３は抽気孔１３０ａの外周りを囲み、シールリング１８０は接続リング１３３の外部に外嵌されている。或いは、下蓋１３０の上蓋１１０から離れた表面には環状係着溝（不図示）が凹んで設置され、環状係着溝は抽気孔１３０ａの外周りを囲み、シールリング１８０は環状係着溝内に嵌設されている。真空引き装置１００の使用過程において、真空引き装置１００を直接容器の開口２２１のところに置かれて、且つ、下蓋１３０を容器の開口２２１の縁部に掛けて、真空引き装置１００を起動した時、真空ポンプ１４０は容器内の空気を抽気孔１３０ａから入って且つ排気孔１１０ｄから排出されるように駆動する。真空引きが終了した後に、直接真空引き装置１００と容器を分離させて単独で収納することが可能である。
【００３６】
本願では、真空引き装置１００は取付ブラケット１２０を通してそれぞれ上蓋１１０と下蓋１３０を接続することで、上蓋１１０と下蓋１３０を組み合わせて格納チャンバー１１０ａを形成する。且つ、取付ブラケット１２０を通して真空ポンプ１４０を取り付けて固定する。こうして、真空引き装置１００の組立過程において、真空ポンプ１４０、制御電気回路基板１５０、給電モジュール１６０等の部品は取付ブラケット１２０を通してモジュール化組立を実現して、そして取付ブラケット１２０を通して上蓋１１０と下蓋１３０のカバー組立操作を実現できる。こうして、組立全体の効率を向上でき、且つ、取付ブラケット１２０に依存する固定方式では、真空引き装置１００の全ての内部部品（例えば真空ポンプ１４０、制御電気回路基板１５０、給電モジュール１６０等）の構造堅固性も保証でき、構造の安定性が比較的良い。
【００３７】
さらに、本願の取付ブラケット１２０が格納チャンバー１１０ａを区切って上チャンバー室１１０ｃ及び下チャンバー室１１０ｂとして形成し、真空ポンプ１４０は下チャンバー室１１０ｂ内に位置して且つ下蓋１３０と取付ブラケット１２０とに挟持されて固定されて、制御電気回路基板１５０と給電モジュール１６０とは上チャンバー室１１０ｃ内に位置する。
【００３８】
真空引き装置１００の抽気孔１３０ａは下蓋１３０に設けられている。本願の真空引き装置１００に取付ブラケット１２０を設置することで、格納チャンバー１１０ａを上チャンバー室１１０ｃと下チャンバー室１１０ｂとの二つの部分に区切って、且つ真空ポンプ１４０と制御電気回路基板１５０及び給電モジュール１６０を合理的に配置する。真空ポンプ１４０が抽気過程において水蒸気に接触するので、本願の真空引き装置１００によれば、真空ポンプ１４０を下チャンバー室１１０ｂ内に設置して、制御電気回路基板１５０及び給電モジュール１６０を上チャンバー室１１０ｃ内に設置する。このような配列方式では、真空引き装置１００の使用過程において水蒸気等の要因により制御電気回路基板１５０及び給電モジュール１６０に影響してしまうのをできるだけ避けることが可能である。一方、真空ポンプ１４０自身が比較的重いので、真空ポンプ１４０を下チャンバー室１１０ｂに置くことでも、真空引き装置１００の重心を下へ移動させることが可能となる。こうして、真空引き装置１００を容器内に置く場合、構造全体が比較的堅固である。
【００３９】
具体的に、真空引き装置１００全体としての組立の利便性を向上させるとめに、前記取付ブラケット１２０の上蓋１１０へ向かう側には第一取付構造が設置されて、上蓋１１０には第一ロッキング構造が設置されて、取付ブラケット１２０は第一取付構造と第一ロッキング構造の嵌合によって上蓋１１０に取り外し可能に接続されている。取付ブラケット１２０の下蓋１３０へ向かう側には第二取付構造が設置されて、下蓋１３０には第二ロッキング構造が設置されて、取付ブラケット１２０は第二取付構造と第二ロッキング構造の嵌合によって下蓋１３０に取り外し可能に接続されている。
【００４０】
本願の前記取付ブラケット１２０は基板１２１を含み、第一取付構造は基板１２１の上蓋１１０へ向かう側に凸出して設置されている複数の第一留め具１２２を含み、第一ロッキング構造は上蓋１１０の内壁面に形成されている複数の第一係合溝１１１を含み、一つの第一留め具１２２は一つの第一係合溝１１１内に係合される。
【００４１】
前記第一取付構造はさらに基板１２１の上蓋１１０へ向かう側に凸出して設置されている第一接続柱１２３を含み、第一接続柱１２３内には第一接続孔が設けられて、第一ロッキング構造はさらに上蓋１１０に設けられている第一ロッキング孔１１２を含み、第一接続孔は接続具の嵌合によって第一ロッキング孔１１２に接続されている。
【００４２】
前記第二取付構造は基板１２１の下蓋１３０へ向かう側に凸出して設置されている複数の第二留め具１２４を含み、第二ロッキング構造は下蓋１３０の内壁面に形成されている複数の第二係合溝１３１を含み、一つの第二留め具１２４は一つの第二係合溝１３１内に係合される。
【００４３】
前記第二取付構造はさらに基板１２１の下蓋１３０へ向かう側に凸出して設置されている接続筒１２５を含み、基板１２１には接続筒１２５に連通している第二ロッキング孔が設けられて、第二ロッキング構造はさらに下蓋１３０の内壁面に凸出して設置されている第二接続柱１３２を含み、第二接続柱１３２内には第二接続孔が設けられて、第二接続孔は接続具の嵌合によって第二ロッキング孔に接続されている。
【００４４】
本願の上蓋１１０と取付ブラケット１２０は第一取付構造と第一ロッキング構造の嵌合によって取り外し可能に接続されている。上蓋１１０と取付ブラケット１２０の組立過程において、第一留め具１２２と第一係合溝１１１との嵌合は上蓋１１０と取付ブラケット１２０の組立過程において仮の固定や位置決めを提供できる。第一留め具１２２と第一係合溝１１１の数については、間隔を置いて複数設置することが可能である。先に給電モジュール１６０と制御電気回路基板１５０を取付ブラケット１２０上に固定する。取付ブラケット１２０上には複数の位置制限リブが設置されており、複数の位置制限リブで給電モジュール１６０と制御電気回路基板１５０に対する挟持固定を実現して、且つ、さらにねじで固定すればよい。次に、第一留め具１２２と第一係合溝１１１の位置を合わせて、上蓋１１０と取付ブラケット１２０の仮固定を実現する。そして接続具（ねじ）と第一接続孔及び第一ロッキング孔１１２との嵌合によって両者の固定や組立を実現できる。
【００４５】
下蓋１３０と取付ブラケット１２０は第二取付構造と第二ロッキング構造の嵌合によって取り外し可能に接続されている。第二留め具１２４と第二係合溝１３１との嵌合は下蓋１３０と取付ブラケット１２０の組立過程において仮の固定や位置決めを提供する。第二留め具１２４と第二係合溝１３１の数については、間隔を置いて複数設置することが可能である。同時に、真空ポンプ１４０に対して挟持や固定を行うことも可能である。取付ブラケット１２０或いは下蓋１３０上には取付溝を設置して、真空ポンプ１４０を取付溝内に嵌設することが可能である。そして接続具（ねじ）と第二接続孔及び第二ロッキング孔との嵌合によって両者の固定や組立を実現できる。
【００４６】
上記の内容により分かるように、本願によれば、取付ブラケット１２０の両側の何れにも上蓋１１０及び下蓋１３０との嵌合接続構造を設置することで、真空引き装置１００の組立過程の簡略化を実現するとともに、真空引き装置１００全体としての構造堅固性を向上させた。
【００４７】
本願の真空引き装置１００の内部は下蓋１３０上に設けられている抽気孔１３０ａ、真空ポンプ１４０、格納チャンバー１１０ａ及び排気孔１１０ｄがこの順に連通することで真空引き空気通路を形成する。排気孔１１０ｄは上蓋１１０或いは下蓋１３０に設置することが可能である。取付ブラケット１２０と上蓋１１０或いは下蓋１３０の内壁との間に隙間を儲けてもよい。当該隙間は即ち前記排気孔１１０ｄを形成する。勿論、排気孔１１０ｄを単独で下蓋１３０に設けて、格納チャンバー１１０ａと連通する排気孔１１０ｄを真空ポンプ１４０の排気口と連通させることも可能である。或いは、取付ブラケット１２０に透かし彫り孔を設置することで、下部分に位置する真空ポンプ１４０の排気口と排気孔１１０ｄとを連通する。このような構造設定により、真空引き装置１００の空気通路のデザインがより簡潔になると共に、排気の過程において、気流の流動を通して真空ポンプ１４０と制御電気回路基板１５０等の電子素子の熱を連れ去ることが可能になる。隙間或いは透かし彫り孔は何れも取付ブラケット１２０の縁部に位置するので、例え一部の気流流動があったとしても、制御電気回路基板１５０及び給電モジュール１４０上に留まりにくいことは、説明しておく必要がある。勿論、本願ではさらに、基板１２１の上蓋１１０へ向かう側に、且つ取付ブラケット１２０に近い縁部に防水区切り板を凸出して設置することで、水蒸気を帯びた気流が直接給電モジュール１４０と制御電気回路基板１５０へ衝突するのを防止することが可能である。真空引き装置１００の運転過程における安定性を確実に保障するために、本願では、通気性水遮断材料層で抽気孔１３０ａを覆う。こうすると、抽気過程において、食材は抽気孔１３０ａ内に巻き込まれて真空引き空気通路の閉塞を起こすことはない。さらに、真空ポンプ１４０の吸気口と前記抽気孔１３０ａの間には抽気孔から吸気口へ向かう方向に通ずる一方向弁が接続されていることで、気体の逆流を防止できる。
【００４８】
他の真空引き空気通路では、取付ブラケット１２０の内部に通気管路構造を形成して、通気管路はずっと延びて且つ取付ブラケット１２０の縁部を貫通して、且つ、通気管路の取付ブラケット１２０の縁部に位置する開口２２１は上蓋１１０或いは下蓋１３０上の排気孔１１０ｄとは連通している。一方、真空ポンプ１４０の排気口は取付ブラケット１２０上の通気管路構造の他端の開口２２１と直接接続し合って連通する。これにより真空引き装置１００の空気通路の構造をより簡潔にできる。
【００４９】
さらに、下蓋１３０には圧力逃がし孔１３０ｂが設けられ、格納チャンバー１１０ａ内にはさらに圧力逃がしスイッチ組立体が設置され、上蓋１１０或いは下蓋１３０には吸気孔が設置され、圧力逃がしスイッチ組立体は取付ブラケット１２０に固定接続されて且つ圧力逃がし孔１３０ｂと吸気孔とを連通させる。
【００５０】
本願では、圧力逃がし孔１３０ｂと吸気孔及び圧力逃がし弁組立体１７０で圧力逃がし空気通路を構成する。圧力逃がし弁組立体１７０は圧力逃がし弁といくつかの管路を含んでも良い。圧力逃がし孔１３０ｂと抽気孔１３０ａは間隔を置いて設置されている。吸気孔は排気孔１１０ｄと分かれて設置されてもいいし、兼用されてもいい。しかも、本願では、上蓋１１０上には真空ポンプ１４０と圧力逃がし弁に対応する起動ボタンが設置されている。圧力逃がし空気通路を形成するので、真空引き装置１００により容器に対する真空引き操作を実現して且つさらに食材の処理を行った時、上蓋１１０上の圧力逃がし弁の起動ボタンを押すことで、圧力逃がし弁を起動できる。こうして、外部の空気の進入を実現し、容器内の圧力の内外バランスを実現して、圧力逃がし弁を取り外しやすくする。
【００５１】
具体的に、図３、図７及び図８を参照し、一部の体積が比較的大きい食材を真空引き装置１００の外に止めるために、下蓋１３０の上蓋１１０から離れた表面には接続リング１３３構造を通して溝部（不図示）が形成されており、抽気孔１３１ａは溝部の底壁に設けられて、下蓋１３０にはさらに一つの蓋板１９０が取り外し可能に接続されて、蓋板１９０上には隔離緩衝保存チャンバー１３３ａに連通する篩孔１９１が設けられている。
【００５２】
下蓋１３０の上蓋１１０から離れた表面に溝部を形成して、当該溝部の底壁に抽気孔１３１ａを設けて、下蓋１３０にさらに溝部の開口を閉じる一つの蓋板１９０を取り外し可能に接続して、蓋板１９０上に隔離緩衝保存チャンバー１３３ａに連通する篩孔１９１を設けることで、当該蓋板１９０が体積の比較的大きい食材を真空引き装置１００の外部に止められるだけでなく、容器が蓋板１９０上の篩孔１９１を通して抽気孔１３１ａと連通できるのを保証して、容器内の空気がなお抽気孔１３１ａを通れて、さらには真空ポンプ１４０の働きにより容器の外に排出されるのを保証する。また、蓋板１９０を下蓋１３０と取り外し可能に接続することで、使用者が蓋板１９０を外すだけで、隔離緩衝保存チャンバー１３３ａの内壁を便利に洗浄できる効果を実現する。
【００５３】
篩孔１９１は円形孔、方形孔或いは線形孔とすることが可能である。蓋板１９０は溝部とはねじ接続、スナップフィット或いは磁気接続できる。蓋板１９０を溝部とスナップフィットする場合、蓋板１９０は柔軟性のある材料、例えばシリコーン等を使用できる。
【００５４】
さらに、具体的に、図７と図８を組み合わせて、食材を止める効果をより良く実現するために、篩孔１９１は細長い形状をしており、篩孔１９１の幅寸法をＢと定義すると、０ｍｍ＜Ｂ≦０．８ｍｍである。
【００５５】
篩孔１９１を細長い形状にして、且つ当該篩孔１９１の幅寸法Ｂが０ｍｍ＜Ｂ≦０．８ｍｍを満たすことで、篩孔１９１が比較的適当な大部分の食材を止める効果を有するようになる。Ｂ＞０．８ｍｍであれば、篩孔１９１の幅寸法が広すぎることになり、多くの食材が当該篩孔１９１を通れることで、より多くの食材が先ず隔離緩衝保存チャンバー１３３ａの内壁に付着して、さらには、この状況が一定時間続くと抽気孔１３１ａを塞ぎ、真空引き装置１００の通常の使用に影響してしまう。
【００５６】
続けて図８を参照し、蓋板１９０の篩孔１９１が設けられているエリアの厚さをＤと定義すると、０．２ｍｍ＜Ｄ≦１．２ｍｍである。
【００５７】
蓋板１９０の篩孔１９１が設けられているエリアの厚さＤを、０．２ｍｍ＜Ｄ≦１．２ｍｍになるように設定することで、蓋板１９０が一定の衝撃強度を耐えられるだけではなく、比較的良好な通気効果を保証できる。蓋板１９０の篩孔１９１が設けられているエリアの厚さＤ≦０．２ｍｍであれば、蓋板１９０の厚さが比較的小さくて、篩孔１９１を開けた後の蓋板１９０の強度を保証することは難しい。Ｄ＞１．２ｍｍであれば、蓋板１９０の厚さが比較的厚くて、容器内の空気を吸引する効果に影響してしまう。
【００５８】
なお、蓋板１９０と溝部の底壁との間の間隔をＬと定義すると、１ｍｍ＜Ｌ≦１０ｍｍである。
【００５９】
蓋板１９０と溝部の底壁との間の間隔Ｌを１ｍｍ＜Ｌ≦１０ｍｍになるように設定することで、隔離緩衝保存チャンバー１３３ａが比較的適当な吸着した食材を格納するための空間を有するようなり、食材が抽気孔を塞ぎにくくするのを保証できるだけではなく、比較的良い吸気効率を法相できる。蓋板１９０と溝部の底壁との間の間隔Ｌ≦１ｍｍであれば、隔離緩衝保存チャンバー１３３ａのチャンバー部の深さが比較的浅く、よって食材がすぐにチャンバー部に充満して、使用者が隔離緩衝保存チャンバー１３３ａのチャンバー部内壁を頻繁に洗浄する必要がある。蓋板１９０と溝部の底壁との間の間隔Ｌ＞１０ｍｍであれば、隔離緩衝保存チャンバー１３３ａのチャンバー部の深さが比較的深く、チャンバー部内に一定の食材が溜まったら抽気の効率に影響してしまう。
【００６０】
図９を参照し、本願はまた食品調理機３００を提案する。食品調理機３００は攪拌カップ組立体２００を含む。前記攪拌カップ組立体２００はカップ本体とカップ本体の上端に覆い被さるカップ蓋２２０を含む。カップ蓋２２０にはカップ本体の内チャンバーと連通する開口２２１が設けられている。食品調理機３００はさらに例えば真空引き装置１００を含む。真空引き構造の具体的な構造については上記実施例を参照されたい。真空引き装置１００は前記カップ蓋２２０に取り外し可能に取り付けられて、真空引き装置１００は開口２２１を通してカップ本体の内チャンバーと連通する。本願は上記全ての実施例の全ての技術案を採用したので、少なくとも上記実施例の技術案がもたらす全ての有益効果を有し、ここでは逐一贅言しない。
【００６１】
本願の食品調理機３００によれば、真空引き装置１００の設置により、真空引き装置１００を使用過程において直接カップ蓋２２０上に置けばよく、組立過程全体が便利である。組立過程における利便性をさらに向上させるために、本願では、下蓋１３０に第一磁性具（磁石でもよく、磁性金属でもいい）、カップ蓋２２０上に第二磁性具（磁石でもよく、磁性金属でもいい）を設置してもよい。第一磁性具と第二磁性具は環状であるか、環状を呈するように間隔を置いて複数設置されてもよい。こうすると、真空引き装置１００を置く場合、第一磁性具と第二磁性具の磁気吸着を通して迅速な位置決めを実現でき、使用がより便利になる。
【００６２】
なお、前記開口２２１の面積をＳ１、下蓋１３０上のシールリング１８０を取り付けるための接続リング１３３で囲んだ面積をＳ２、シールリング１８０で囲んだ面積をＳ３として定義すると、Ｓ２＜Ｓ１＜Ｓ３である。
【００６３】
本願の開口２２１の形状は円形でも方形でもよい。開口２２１、接続リング１３３、及びシールリング１８０の同一水平面への投影は嵌設されている。これにより真空引きする場合、密封の密接性を保証でき、且つ、組立がより便利になる。
【００６４】
さらに、前記カップ蓋２２０には凹溝が形成されており、開口２２１は凹溝の底部に設けられて、シールリング１８０の周縁は凹溝の溝壁と当接されている。凹溝の設置により、真空引き装置１００の使用過程において位置合わせして置く時により便利になり、且つ真空引き過程において、シールリング１８０は吸着されるのでカップ蓋２２０の開口の周縁により近づけやすくなる。
【００６５】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００６６】
３００  食品調理機
２００  攪拌カップ組立体
２１０  攪拌カップ
２２０  カップ蓋
２２１  開口
１００  真空引き装置
１１０  上蓋
１１１  第一係合溝
１１２  第一ロッキング孔
１１０ａ  格納チャンバー
１１０ｂ  上チャンバー室
１１０ｃ  下チャンバー室
１１０ｄ  排気孔
１２０  取付ブラケット
１２１  基板
１２２  第一留め具
１２３  第一接続柱
１２４  第二留め具
１２５  接続筒
１３０  下蓋
１３１  第二係合溝
１３２  第二接続柱
１３０ａ  抽気孔
１３０ｂ  圧力逃がし孔
１３３  接続部
１３３ａ  隔離緩衝保存チャンバー
１４０  真空ポンプ
１５０  制御電気回路基板
１６０  給電モジュール
１７０  圧力逃がし弁組立体
１８０  シールリング
１９０  蓋板
１９１  篩孔
【図１】
2021510794.tif 000003
【図２】
2021510794.tif 000004
【図３】
2021510794.tif 000005
【図４】
2021510794.tif 000006
【図５】
2021510794.tif 000007
【図６】
2021510794.tif 000008
【図７】
2021510794.tif 000009
【図８】
2021510794.tif 000010
【図９】
2021510794.tif 000011
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含むことを特徴とする真空引き装置。
【請求項２】
前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されており、
前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されており、
前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される、
請求項１に記載の真空引き装置。
【請求項３】
前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されており、
前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合され、
前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている、
請求項２に記載の真空引き装置。
【請求項４】
前記下蓋に前記抽気孔が開設されており、前記上蓋或いは前記下蓋に前記排気孔が開設されており、
前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる、
請求項１に記載の真空引き装置。
【請求項５】
前記真空ポンプの吸気口と前記抽気孔との間には抽気孔から吸気口へ向かう方向に通ずる一方向弁がさらに接続されている、
請求項１に記載の真空引き装置。
【請求項６】
前記真空引き装置はシールリングをさらに含み、前記シールリングは真空引きされる容器に覆い被さって密封接続するために用いられ、前記シールリングは前記下蓋と接続され、且つ前記抽気孔を囲んで設置されており、
前記接続部は下蓋の前記上蓋から離れた表面に凸出して設置されている接続リングであり、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている、
請求項１に記載の真空引き装置。
【請求項７】
前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置し、
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、
前記篩孔は細長い形状をしており、前記篩孔の幅寸法をＢと定義し、０ｍｍ＜Ｂ≦０．８ｍｍであり、
前記蓋板と前記溝部の底壁との間の間隔をＬとし、１ｍｍ＜Ｌ≦１０ｍｍである、
請求項１に記載の真空引き装置。
【請求項８】
攪拌カップ組立体を含む食品調理機であって、前記攪拌カップ組立体はカップ本体と前記カップ本体の上端に覆い被さるカップ蓋を含み、前記カップ蓋には前記カップ本体の内チャンバーと連通する開口が開設され、前記食品調理機は真空引き装置をさらに含み、前記真空引き装置は前記カップ蓋に取り外し可能に取り付けられ、前記真空引き装置は、
上蓋と、
前記上蓋との嵌合により格納チャンバーが囲まれるように形成され、前記格納チャンバーのチャンバー壁には抽気孔と排気孔とが開設されている下蓋であって、且つ下部には接続部が設置されている下蓋と、
前記格納チャンバー内に位置し、前記上蓋及び／又は下蓋と接続されている取付ブラケットと、
前記取付ブラケットに接続され、吸気口が前記抽気孔に連通し、吹出口が前記排気孔に連通している真空ポンプと、
前記取付ブラケットに接続され、且つ前記真空ポンプに電気的に接続されている制御電気回路基板と、
前記格納チャンバー内に位置し且つ前記制御電気回路基板と電気的に接続されている給電モジュールとを含み、前記接続部は前記開口によって前記カップ本体の内チャンバーに連通している食品調理機。
【請求項９】
前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、
前記真空引き装置はシールリングをさらに含み、前記シールリングは真空引きされる容器に覆い被さって密封接続するために用いられ、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３であり、
前記カップ蓋には凹溝が形成されており、前記開口は前記凹溝の底部に開設され、前記シールリングの周縁は前記凹溝の溝壁と当接されている、
請求項８に記載の食品調理機。
【手続補正２】
【補正対象書類名】明細書
【補正対象項目名】０００６
【補正方法】変更
【補正の内容】
【０００６】
好ましくは、前記取付ブラケットが前記格納チャンバーを区切って上チャンバー室及び下チャンバー室として形成し、前記真空ポンプは前記下チャンバー室内に位置し且つ前記下蓋と前記取付ブラケットとに挟持されて固定され、前記制御電気回路基板と前記給電モジュールとは前記上チャンバー室内に位置し、及び／又は、前記取付ブラケットは前記上蓋及び／又は下蓋に取り外し可能に接続されており、前記取付ブラケットの前記上蓋へ向かう側には第一取付構造が設置され、前記上蓋には第一ロッキング構造が設置され、前記取付ブラケットは第一取付構造と前記第一ロッキング構造との嵌合によって前記上蓋に取り外し可能に接続されており、前記取付ブラケットの前記下蓋へ向かう側には第二取付構造が設置され、前記下蓋には第二ロッキング構造が設置され、前記取付ブラケットは第二取付構造と前記第二ロッキング構造との嵌合によって前記下蓋に取り外し可能に接続されており、前記取付ブラケットは基板を含み、前記第一取付構造は基板の前記上蓋へ向かう側に凸出して設置されている複数の第一留め具を含み、前記第一ロッキング構造は前記上蓋の内壁面に形成されている複数の第一係合溝を含み、一つの前記第一留め具は一つの前記第一係合溝内に係合される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
好ましくは、前記第一取付構造は前記基板の前記上蓋へ向かう側に凸出して設置されている第一接続柱をさらに含み、前記第一接続柱内には第一接続孔が設けられ、前記第一ロッキング構造は前記上蓋に開設されている第一ロッキング孔をさらに含み、前記第一接続孔は接続具の嵌合によって前記第一ロッキング孔に接続されており、前記第二取付構造は基板の前記下蓋へ向かう側に凸出して設置されている複数の第二留め具を含み、前記第二ロッキング構造は前記下蓋の内壁面に形成されている複数の第二係合溝を含み、一つの前記第二留め具は一つの前記第二係合溝内に係合され、前記第二取付構造は前記基板の前記下蓋へ向かう側に凸出して設置されている接続筒をさらに含み、前記基板には前記接続筒に連通している第二ロッキング孔が設けられ、前記第二ロッキング構造は前記下蓋の内壁面に凸出して設置されている第二接続柱をさらに含み、前記第二接続柱内には第二接続孔が設けられ、前記第二接続孔は接続具の嵌合によって前記第二ロッキング孔に接続されている。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
好ましくは、前記下蓋に前記抽気孔が開設されており、前記上蓋或いは前記下蓋に前記排気孔が開設されており、前記下蓋にはさらに圧力逃がし孔が開設され、前記格納チャンバー内にはさらに圧力逃がしスイッチ組立体が設置され、前記上蓋或いは下蓋には吸気孔が設置され、前記圧力逃がしスイッチ組立体は前記取付ブラケットに固定接続され且つ前記圧力逃がし孔と吸気孔とを連通させる。
【手続補正９】
【補正対象書類名】明細書
【補正対象項目名】００１３
【補正方法】削除
【補正の内容】
【手続補正１０】
【補正対象書類名】明細書
【補正対象項目名】００１５
【補正方法】変更
【補正の内容】
【００１５】
好ましくは、前記真空引き装置はシールリングをさらに含み、前記シールリングは真空引きされる容器に覆い被さって密封接続するために用いられ、前記シールリングは前記下蓋と接続され、且つ前記抽気孔を囲んで設置されており、前記接続部は下蓋の前記上蓋から離れた表面に凸出して設置されている接続リングであり、前記接続リングは前記抽気孔の外周を囲み、前記シールリングは前記接続リングの外部に外嵌され、或いは、前記下蓋の前記上蓋から離れた表面には環状係着溝が凹んで設置され、前記環状係着溝は前記抽気孔の外周を囲み、前記シールリングは前記環状係着溝内に嵌設されている。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
好ましくは、前記下蓋の外壁にはさらに隔離緩衝保存チャンバーが形成されており、前記隔離緩衝保存チャンバーは前記抽気孔と真空引きされる容器とを連通させ、前記隔離緩衝保存チャンバーは前記下蓋の底部に位置し、前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、前記篩孔は細長い形状をしており、前記篩孔の幅寸法をＢと定義し、０ｍｍ＜Ｂ≦０．８ｍｍであり、前記蓋板と前記溝部の底壁との間の間隔をＬとし、１ｍｍ＜Ｌ≦１０ｍｍである。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２２
【補正方法】変更
【補正の内容】
【００２２】
好ましくは、前記下蓋の前記上蓋から離れた表面且つ接続部内に溝部が形成されており、前記抽気孔は前記溝部の底壁に開設され、前記下蓋にはさらに一つの蓋板が取り外し可能に接続され、前記蓋板は前記溝部の開口をカバーして前記隔離緩衝保存チャンバーを形成し、前記蓋板上には前記隔離緩衝保存チャンバーに連通する篩孔が開設されており、前記真空引き装置はシールリングをさらに含み、前記シールリングは真空引きされる容器に覆い被さって密封接続するために用いられ、前記シールリングは前記接続部と接続され、且つ前記抽気孔を囲んで設置されており、前記開口の面積をＳ１、前記下蓋上の前記シールリングを取り付けるための接続リングで囲んだ面積をＳ２、前記シールリングで囲んだ面積をＳ３として定義し、Ｓ２＜Ｓ１＜Ｓ３であり、前記カップ蓋には凹溝が形成されており、前記開口は前記凹溝の底部に開設され、前記シールリングの周縁は前記凹溝の溝壁と当接されている。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【国際調査報告】
2021510794.tif 000012
2021510794.tif 000013
2021510794.tif 000014
2021510794.tif 000015